(57)【要約】【課題】  出し入れ口を開閉せずに、昆虫を捕獲した片手のみで容易に素早く昆虫を投入できる投入口を設けた虫かごを提供する。【解決手段】  前かご２と後かご３により中空に形成された虫かご本体１に、弾性をもつ部材で形成され、中心部から放射状の切れ込み８があるカバー７と、カバー７を固定するための座部６から構成される投入口５を設けると共に、投入口用蓋１４及び蓋用紐１６を設けた虫かごを特徴とする。【選択図】図１
2009189352.tif 000002
【特許請求の範囲】
【請求項１】
中空に形成された虫かごに、切れ込みの入ったカバーと、その周囲を固定する座部とで構成される投入口を設けたことを特徴とする虫かご。
【請求項２】
請求項１において、投入口を覆うための蓋を設けた虫かご。
【発明の詳細な説明】
【技術分野】
【０００１】この発明は、昆虫の採集を容易にするための投入口を設けた虫かごに関するものである。
【背景技術】
【０００２】  従来の虫かごは、中空に形成されたかごに昆虫の出し入れ口と、出し入れ口を開閉するための蓋が取り付けられており、蓋は上下などに開閉できる構造となっている。
【発明の開示】
【発明が解決しようとする課題】
【０００３】  昆虫を捕獲する毎に出し入れ口の蓋体を片手で開閉する必要があり、子供には不便であった。また、蓋体を開ける際に余分な隙間が生じ、その隙間から採集した昆虫が逃げないように特に注意を払う必要があった。このような欠点から、昆虫を捕獲してから虫かごに投入するまでに時間と注意を要した。上記のような欠点に鑑み本発明は、出し入れ口とは別に投入口を設けて、従来の虫かごの利便性を失わずに効率よく昆虫を採集することを目的とするものである。
【課題を解決するための手段】
【０００４】  以下、本発明の要旨を添付の図面に基づいて説明する。【０００５】  請求項１記載の発明は、出し入れ口１７に加えて、虫かごの背面に投入口５を設ける。すなわち、かごを形成する背面のフレームに昆虫を投入可能な大きさの穴を開け、その外周部にカバー７を固定するための座部６を形成する。カバー７は座部６の円周内に納まる形状であり、弾性をもつ部材で形成され、中心から放射状に切れ込み８があり、接着剤を用いて周囲が座部に固定されている。カバーの部材の弾性により、指を投入口に出し入れすることで投入口を開閉できる。【０００６】  また、昆虫の逃走を防止し、かつ昆虫を投入しやすくするために、カバー７の中心部が虫かご内部に落ち込む構造となっている。【０００７】  請求項２記載の発明は、カバー７の切れ込み８を介して昆虫が逃走することを防止するために、座部６の凸状部分の外周を覆う投入口用蓋１４を投入口５に用いるものである。投入口用蓋１４の外周部面には、蓋用紐１６を巻きつけることが可能なフック１５を設ける。この紐を、紐通し穴１２と係合して、蓋の紛失を防止してある。
【発明の効果】
【０００８】  請求項１記載の発明によれば、出し入れ口１７とは別に設けた投入口５のカバー７の弾性により、昆虫を採集する際、昆虫を持った指を出し入れすることで投入口５の開閉が昆虫の投入と同時に行える。このため、従来のように、捕獲した手と反対の手で虫かご正面の出し入れ口１７の出し入れ口用蓋１１を開閉する必要がなくなり、昆虫を捕獲した片手のみで素早く容易に投入口５から虫かご内に昆虫を投入することが可能となる。さらに、カバー７の弾性により、投入口５が指や昆虫に密接するように開閉するので、余分な隙間を開放することがなくなり、投入口５を介して昆虫を投入した際に、既に採集した昆虫が虫かご内部から逃げ出すことがなくなる。また、投入口５の中心に向かって、虫かご内部にカバー７の中心部分が落ち込む構造となっており、それが弁としてはたらくので、投入口５は昆虫を投入しやすく、かつ逃げにくくなっている。加えて、出し入れ口１７は従来の虫かごと同様に設けてあるので、とくに昆虫を取り出すときは出し入れ口１７の蓋を開閉して取りだすことが可能である。【０００９】  請求項２記載の発明によれば、昆虫の採集時以外は投入口用蓋１４で投入口５を覆うことで、切れ込み８から昆虫が外側へ逃げ出すことがなくなる。また、蓋体の外周部に設けたフック１５と紐通し穴１２とを蓋用紐１６で接続することで、投入口５を使用して蓋を開けた状態で昆虫を採集する際に、蓋の紛失を防止できる。
【発明を実施するための最良の形態】
【００１０】  以下、本発明を実施するための最良の形態について添付の図面に基づいて説明する。【００１１】  虫かご本体１は、前かご２と後かご３をヒンジ１９で係合して中空に形成した虫かごであり、本体上部の接合部９及び接合部１０により前かご２と後かご３が組み合わされている。また、形状を保持するフレームの外表面を細長い目にした通気孔４を形成し、通気性を保持している。本体正面には昆虫を出し入れするための出し入れ口１７が設けられており、出し入れ口１７は上下にスライドする出し入れ口用蓋１１と、蓋を保持するための左右のスライドレール１８から構成される。【００１２】  出し入れ口１７に加えて、背面部の後かご３に投入口５が設けてあり、この投入口５は座部６、切れ込み８が入ったカバー７、投入口用蓋１４で構成されている。座部６は虫かご内部とつながる直径７センチメートルほどの穴の外周部を、カバー７を固定するための凸型形状に形成したものである。また、座部はフレームとともに一体形成することが可能であるので、安価に製造することができる。【００１３】  カバー７は座部６の凸状部分の内周部に納まり、弾性を有する部材で形成され、中心から放射状に切れ込み８があり、接着剤を用いて周囲を座部に固定している。また、カバー７の周囲を座部６の凸型形状に沿う高さのある鍵形状にすることで、カバーの形状を保持し座部に強く固定することが可能である。また、投入口５の中心に向かって、虫かご内部にカバー７の中心部分が落ち込む構造となっており、それが弁としてはたらくので、昆虫を投入しやすく、かつ逃げにくくするために有効である。【００１４】  投入口５は、昆虫を短時間に連続して捕獲する場合や、既に昆虫を捕獲したために、出し入れ口１７の出し入れ口用蓋１１を開閉することで昆虫が逃げる可能性がある場合や片手のみで採集を行う場合などにおいての使用が特に効果的である。勿論、その様な場合でなくても、主に昆虫を捕獲して投入する際には投入口５を使用し、また、昆虫を取り出す場合は、出し入れ口１７を使用するか、もしくは左右の接合部９、１０を解除して前かご２と後かご３を分離することで昆虫を取り出せる。【００１５】  投入口５の使用は至って容易であり、昆虫を捕獲した指を昆虫と共にカバー７の中心を介して虫かご内部に直接挿入して昆虫を虫かご内部に放し、指を抜き出すのみである。この際、反対の手で虫かごを支えるとより投入しやすくなる。【００１６】  本発明の投入口５の形状には円形や多角形の形状を用いることができ、カバー７の部材はゴムやスポンジゴムなどの弾性をもつ部材を用いることが望ましいが、昆虫のかぎ爪がカバーに引っかからないようにするために、カバー表面が平坦で滑りやすい部材が適している。加えて、指を挿入する際にカバー７を指に密着させて、切れ込み８の隙間からの昆虫の逃走を防止するために、中心からの切れ込みの方向の数は多いほうがよく、図面１、３で示した６方向のもの以外にも、８方向などの多方向や、渦巻状などの模様を描いた放射状の切れ込みをいれることも可能である。また、カバー７の部材は昆虫を傷つけないために、軽い力で開くことができ、かつ柔軟に素早く閉じることができる特性を持った部材と構造を有するものが望���しい。その他の方法としては、カバー７を形成する切片を合成樹脂などの硬質の部材に変更して、バネなどを用いて弾性を付与した構造も可能である。この方式では個々の切片が隣接して余分な隙間が開かないので、投入口用蓋１４は不要となる。【００１７】  投入口用蓋１４は座部６の凸状部分の外周部を覆うための蓋である。また、蓋体の外周部面に設けたフック１５と虫かご本体１の紐通し穴１２とを、適度な長さの蓋用紐１６で接続して紛失を防止してある。昆虫を採集する際は蓋体をはずしたままにしておく。また、昆虫を虫かご内に長時間保持するなど、採集をしない場合においては投入口５を投入口用蓋１４で覆うことで、投入口５の切れ込み８の隙間から昆虫を逃げ出さないようにできる。【００１８】  左右の接合部９、１０の内部には前かごと後かごを接合し固定するための凹凸が設けてある。また、紐通し穴１２に提げ紐１３を係合することができ、虫かごを容易に携行できる。【００１９】  その他、本発明の投入口を有する虫かごを形成する素材は樹脂、プラスチック、金属、木材、繊維、などの素材を用いることができる。また、虫かごの形状においては、直方体、立方体、円筒形、球形や多角柱などの形状を用いることが可能である。
【図面の簡単な説明】
【００２０】
【図１】図１は本発明を実施する虫かご全体の斜視図である。
【図２】図２は本発明を実施する虫かごの正面図である。
【図３】図３は本発明を実施する虫かごの背面図である。
【図４】図４は投入口の中心から通気孔までの横方向への断面図である。
【符号の説明】
【００２１】１  虫かご本体
２  前かご
３  後かご
４  通気孔
５  投入口
６  座部
７  カバー
８  切れ込み
９  接合部
１０  接合部
１１  出し入れ口用蓋
１２  紐通し穴
１３  提げ紐
１４  投入口用蓋
１５  フック
１６  蓋用紐
１７  出し入れ口
１８  スライドレール
１９  ヒンジ
【図１】
2009189352.tif 000003
【図２】
2009189352.tif 000004
【図３】
2009189352.tif 000005
【図４】
2009189352.tif 000006